(57)【要約】【課題】  キャップの紛失を防止すると共に接続端子からのコネクターの引抜操作を行うときのキャップの装置本体からの外れを防止する。【解決手段】  電子機器に設けられた接続端子に挿入されて接続され接続端子から引き抜かれて接続が解除される少なくとも一つのコネクターとコネクターを保持するコネクター保持部とを有する装置本体と、コネクター保持部に着脱されるキャップとを備え、コネクターが接続端子に挿入される方向が挿入方向とされ、コネクターが接続端子から引き抜かれる方向が引抜方向とされ、キャップにコネクター保持部に対してロックされる被ロック部が設けられ、コネクター保持部に被ロック部と係合されキャップのコネクター保持部からの引抜方向への離脱を規制するロック部が設けられた。【選択図】図１５
2015111367.tif 000002
【特許請求の範囲】
【請求項１】
電子機器に設けられた接続端子に挿入されて接続され前記接続端子から引き抜かれて接続が解除される少なくとも一つのコネクターと前記コネクターを保持するコネクター保持部とを有する装置本体と、
前記コネクター保持部に着脱されるキャップとを備え、
前記コネクターが前記接続端子に挿入される方向が挿入方向とされ、
前記コネクターが前記接続端子から引き抜かれる方向が引抜方向とされ、
前記キャップに前記コネクター保持部に対してロックされる被ロック部が設けられ、
前記コネクター保持部に前記被ロック部と係合され前記キャップの前記コネクター保持部からの前記引抜方向への離脱を規制するロック部が設けられた
記憶装置。
【請求項２】
前記キャップが前記コネクター保持部に対して前記挿入方向に平行な軸の軸回り方向へ回転されて前記キャップの前記コネクター保持部に対するロック及び前記キャップの前記コネクター保持部に対するロックの解除が行われる
請求項１に記載の記憶装置。
【請求項３】
前記キャップの外面に平面部が形成された
請求項１に記載の記憶装置。
【請求項４】
前記キャップが前記コネクター保持部に対して前記挿入方向又は前記引抜方向へ移動されて前記キャップの前記コネクター保持部に対するロック及び前記キャップの前記コネクター保持部に対するロックの解除が行われる
請求項１に記載の記憶装置。
【請求項５】
前記コネクターが前記コネクター保持部から一方向へ突出され、
前記ロック部が前記コネクターの突出された側と反対側の部分に設けられた
請求項１に記載の記憶装置。
【請求項６】
前記コネクターとして種類の異なる第１のコネクターと第２のコネクターが設けられた
請求項１に記載の記憶装置。
【請求項７】
前記第１のコネクターと前記第２のコネクターが前記コネクター保持部から反対方向へ突出された状態で位置された
請求項６に記載の記憶装置。
【請求項８】
前記キャップが前記第２のコネクターを覆う状態で前記コネクター保持部に取り付けられてロックされる
請求項７に記載の記憶装置。
【請求項９】
前記キャップと前記コネクター保持部を連結する連結バンドが設けられた
請求項１に記載の記憶装置。
【請求項１０】
前記連結バンドが弾性変形可能にされた
請求項９に記載の記憶装置。
【請求項１１】
前記連結バンドに対して前記キャップがスライド可能にされた
請求項９に記載の記憶装置。
【請求項１２】
前記キャップが前記コネクター保持部に取り付けられた状態において前記連結バンドが前記キャップの内部に位置された
請求項９に記載の記憶装置。
【請求項１３】
前記被ロック部が前記キャップの内面側に設けられ、
前記キャップが前記コネクター保持部に取り付けられた状態において前記ロック部が前記キャップの内部に位置された
請求項１に記載の記憶装置。
【発明の詳細な説明】
【技術分野】
【０００１】
本技術は、電子機器に設けられた接続端子に挿入されるコネクターを有する装置本体と装置本体に着脱されるキャップとを備えた記憶装置についての技術分野に関する。
【先行技術文献】
【特許文献】
【０００２】
【特許文献１】特開２０１３−５４７２３号公報
【特許文献２】特開２００６−３０１７８９号公報
【特許文献３】特開２００５−１５８７１２号公報
【特許文献４】特表２００８−５０６１９２号公報
【背景技術】
【０００３】
電子機器に設けられた接続端子に挿入されて接続されるコネクターを有する装置本体と装置本体に着脱されるキャップとを備えた記憶装置があり、このような記憶装置はコネクターが接続端子に挿入される方向と反対方向へ引き抜かれてコネクターの接続端子との接続が解除される（例えば、特許文献１、特許文献２及び特許文献３参照）。
【０００４】
特許文献１乃至特許文献３に記載された記憶装置にあっては、コネクターを保護するキャップの紛失を防止する構造にされている。
【０００５】
特許文献１に記載された記憶装置は、キャップが装置本体に対してスライド可能とされ、装置本体にキャップの装置本体に対するスライド方向と直交する方向へ移動可能な挿入ピンが設けられ、キャップに挿入ピンが挿入される二つの固定孔がスライド方向に離隔して形成されている。挿入ピンが一方の固定孔に挿入された状態においてコネクターがキャップに覆われて保護され、キャップがスライドされて挿入ピンが他方の固定孔に挿入された状態においてコネクターがキャップから突出されて電子機器の接続端子に接続可能にされる。コネクターの使用時及び不使用時ともキャップが装置本体に支持されているため、キャップの紛失が防止される。
【０００６】
特許文献２に記載された記憶装置は、装置本体の両側面部にそれぞれ案内溝が形成され、キャップの両側面部にそれぞれ装置本体側へ突出された一対の腕部が設けられると共に腕部の先端部に摺動子が設けられている。案内溝には摺動子が摺動自在に支持され、キャップは摺動子を支点として装置本体に対して回動可能にされている。摺動子が案内溝の一端部に支持された状態においてコネクターがキャップに覆われて保護され、キャップが装置本体に対して移動されて摺動子が案内溝に摺動されキャップが装置本体に対して回動された状態においてコネクターが電子機器の接続端子に接続可能にされる。コネクターの使用時及び不使用時ともキャップが装置本体に支持されているため、キャップの紛失が防止される。
【０００７】
特許文献３に記載された記憶装置は、装置本体に円形溝部と引込溝部から成る一対の案内溝が形成され、キャップには案内溝にそれぞれ摺動自在に支持された一対の突起が設けられている。突起が円形溝部に摺動されることによりキャップが装置本体に対して回動され、突起が引込溝部に摺動されることによりキャップが装置本体に対してスライドされる。突起が引込溝部の一端部に支持された状態においてコネクターがキャップに覆われて保護され、キャップが装置本体に対してスライドされた後に回動された状態においてコネクターが電子機器の接続端子に接続可能にされる。コネクターの使用時及び不使用時ともキャップが装置本体に支持されているため、キャップの紛失が防止される。
【０００８】
一方、記憶装置には、上記のようなキャップがスライド可能又は回動可能にされたタイプの他に、キャップが装置本体に対して着脱可能にされたタイプがある（例えば、特許文献４参照）。
【０００９】
このようなキャップが着脱可能なタイプにあっては、コネクターが接続端子に接続された状態において、装置本体における接続端子が設けられた側と反対側の端部にキャップが係合されて取り付けられるものがある。コネクターが接続端子に接続された状態において、装置本体の端部にキャップを取り付けることによりキャップの紛失が防止される。
【００１０】
上記したように、キャップを装置本体に対してスライド可能や回動可能な構成にしたり、キャップを装置本体の端部に対して着脱可能な構成にすることにより、キャップの紛失を防止することができる。
【発明の概要】
【発明が解決しようとする課題】
【００１１】
ところで、特許文献４に記載されたようなキャップが装置本体の端部に対して着脱可能な構成にされたタイプにあっては、コネクターが接続端子に接続された状態において装置本体の端部にキャップが取り付けられるため、記憶装置を電子機器から取り外すときに、使用者によってキャップが把持された状態でコネクターの接続端子からの引抜操作が行われる場合がある。
【００１２】
ところが、キャップを把持した状態でコネクターを引き抜こうとすると、キャップが装置本体から外れてしまう場合があり、この場合には記憶装置を電子機器から取り外すことができない。
【００１３】
そこで、本技術記憶装置は、上記した問題点を克服し、キャップの紛失を防止すると共に接続端子からのコネクターの引抜操作を行うときのキャップの装置本体からの外れを防止することを課題とする。
【課題を解決するための手段】
【００１４】
第１に、記憶装置は、上記した課題を解決するために、電子機器に設けられた接続端子に挿入されて接続され前記接続端子から引き抜かれて接続が解除される少なくとも一つのコネクターと前記コネクターを保持するコネクター保持部とを有する装置本体と、前記コネクター保持部に着脱されるキャップとを備え、前記コネクターが前記接続端子に挿入される方向が挿入方向とされ、前記コネクターが前記接続端子から引き抜かれる方向が引抜方向とされ、前記キャップに前記コネクター保持部に対してロックされる被ロック部が設けられ、前記コネクター保持部に前記被ロック部と係合され前記キャップの前記コネクター保持部からの前記引抜方向への離脱を規制するロック部が設けられたものである。
【００１５】
これにより、接続端子にコネクターが接続された状態においてキャップがコネクター保持部に取付可能にされると共にキャップが把持された状態で接続端子からのコネクターの引抜操作が行われたときにキャップのコネクター保持部からの引抜方向への離脱がロック部によって規制される。
【００１６】
第２に、上記した記憶装置においては、前記キャップが前記コネクター保持部に対して前記挿入方向に平行な軸の軸回り方向へ回転されて前記キャップの前記コネクター保持部に対するロック及び前記キャップの前記コネクター保持部に対するロックの解除が行われることが望ましい。
【００１７】
これにより、キャップのコネクター保持部に対する回転によりロック部と被ロック部の係合及び係合の解除が行われる。
【００１８】
第３に、上記した記憶装置においては、前記キャップの外面に平面部が形成されることが望ましい。
【００１９】
これにより、キャップの装置本体に対する回転時に、使用者が指を平面部に宛ってキャップを回転させることが可能になる。
【００２０】
第４に、上記した記憶装置においては、前記キャップが前記コネクター保持部に対して前記挿入方向又は前記引抜方向へ移動されて前記キャップの前記コネクター保持部に対するロック及び前記キャップの前記コネクター保持部に対するロックの解除が行われることが望ましい。
【００２１】
これにより、キャップのコネクター保持部に対する移動によりロック部と被ロック部の係合及び係合の解除が行われる。
【００２２】
第５に、上記した記憶装置においては、前記コネクターが前記コネクター保持部から一方向へ突出され、前記ロック部が前記コネクターの突出された側と反対側の部分に設けられることが望ましい。
【００２３】
これにより、コネクターが接続端子に接続された状態においてキャップをコネクター保持部に取り付けることが可能になる。
【００２４】
第６に、上記した記憶装置においては、前記コネクターとして種類の異なる第１のコネクターと第２のコネクターが設けられることが望ましい。
【００２５】
これにより、第１のコネクターと第２のコネクターをそれぞれ異なる種類の電子機器の接続端子に接続することが可能になる。
【００２６】
第７に、上記した記憶装置においては、前記第１のコネクターと前記第２のコネクターが前記コネクター保持部から反対方向へ突出された状態で位置されることが望ましい。
【００２７】
これにより、記憶装置の向きを反転することにより第１のコネクターと第２のコネクターをそれぞれ異なる種類の電子機器の接続端子に接続することが可能になる。
【００２８】
第８に、上記した記憶装置においては、前記キャップが前記第２のコネクターを覆う状態で前記コネクター保持部に取り付けられてロックされることが望ましい。
【００２９】
これにより、第１のコネクターが接続端子に接続された状態において第２のコネクターがキャップに覆われる。
【００３０】
第９に、上記した記憶装置においては、前記キャップと前記コネクター保持部を連結する連結バンドが設けられることが望ましい。
【００３１】
これにより、キャップがコネクター保持部から取り外された状態においてもキャップが連結バンドを介してコネクター保持部に連結される。
【００３２】
第１０に、上記した記憶装置においては、前記連結バンドが弾性変形可能にされることが望ましい。
【００３３】
これにより、キャップがコネクター保持部から取り外された状態においても連結バンドが屈曲可能になる。
【００３４】
第１１に、上記した記憶装置においては、前記連結バンドに対して前記キャップがスライド可能にされることが望ましい。
【００３５】
これにより、キャップとコネクター保持部が連結バンドに結合された状態でキャップを連結バンドに対してスライドさせることによりキャップとコネクター保持部を離接させることが可能になる。
【００３６】
第１２に、上記した記憶装置においては、前記キャップが前記コネクター保持部に取り付けられた状態において前記連結バンドが前記キャップの内部に位置されることが望ましい。
【００３７】
これにより、キャップがコネクター保持部に取り付けられた状態において連結バンドがキャップ及びコネクター保持部から外方へ突出されない。
【００３８】
第１３に、上記した記憶装置においては、前記被ロック部が前記キャップの内面側に設けられ、前記キャップが前記コネクター保持部に取り付けられた状態において前記ロック部が前記キャップの内部に位置されることが望ましい。
【００３９】
これにより、キャップがコネクター保持部に取り付けられた状態においてロック部と被ロック部がコネクター保持部から外方へ突出されない。
【発明の効果】
【００４０】
本技術によれば、接続端子にコネクターが接続された状態においてキャップがコネクター保持部に取付可能にされると共にキャップが把持された状態で接続端子からのコネクターの引抜操作が行われたときにキャップのコネクター保持部からの引抜方向への離脱がロック部によって規制される。従って、キャップの紛失を防止することができると共に接続端子からのコネクターの引抜操作を行うときのキャップの装置本体からの外れを防止することができる。
【図面の簡単な説明】
【００４１】
【図１】図２乃至図２３と共に本技術記憶装置を示すものであり、本図は、記憶装置と電子機器を示す斜視図である。
【図２】キャップがコネクター保持部に取り付けられた状態で示す記憶装置の拡大斜視図である。
【図３】キャップがコネクター保持部から取り外された状態で示す記憶装置の拡大斜視図である。
【図４】キャップがコネクター保持部から取り外された状態を図３とは異なる方向から見た状態で示す記憶装置の拡大斜視図である。
【図５】図６と共にキャップが連結バンドに対してスライドされる構成を示すものであり、本図は、キャップが連結バンドに対して一方の移動端に位置されている状態を示す拡大斜視図である。
【図６】キャップが連結バンドに対して他方の移動端に位置されている状態を示す拡大斜視図である。
【図７】キャップと装置本体と連結バンドを分離した状態で示す記憶装置の拡大正面図である。
【図８】キャップがコネクター保持部から取り外され連結バンドが屈曲されている状態を示す拡大正面図である。
【図９】図１０乃至図１５と共にキャップのコネクター保持部に対する着脱動作を示すものであり、本図は、キャップがコネクター保持部から取り外されている状態を示す拡大斜視図である。
【図１０】キャップがコネクター保持部に接した状態を示す拡大斜視図である。
【図１１】キャップがコネクター保持部に接した図１０と同じ状態を示す拡大断面図である。
【図１２】キャップがコネクター保持部に対して回転されている途中の状態を示す拡大断面図である。
【図１３】キャップがコネクター保持部に対してロックされた状態を示す拡大断面図である。
【図１４】キャップがコネクター保持部に取り付けられキャップがコネクター保持部に対してロックされた状態を示す拡大斜視図である。
【図１５】キャップがコネクター保持部に取り付けられキャップがコネクター保持部に対してロックされた状態を図１３とは異なる面で切断した状態で示す拡大断面図である。
【図１６】コネクター保持部の接続端子からの引抜操作が行われようとしている状態を示す拡大斜視図である。
【図１７】第２のコネクターが電子機器の接続端子に接続された状態を示す拡大正面図である。
【図１８】図１９乃至図２１と共に記憶装置の別の例を示すものであり、本図は、キャップがコネクター保持部から取り外された状態で示す記憶装置の拡大斜視図である。
【図１９】キャップがコネクター保持部から取り外された状態を図１８とは異なる方向から見た状態で示す記憶装置の拡大斜視図である。
【図２０】キャップがコネクター保持部に取り付けられキャップがコネクター保持部に対してロックされた状態を示す拡大断面図である。
【図２１】キャップがコネクター保持部に対してロックされる前の状態を示す拡大断面図である。
【図２２】図２３と共に一方のコネクターが設けられていない記憶装置の例を示すものであり、本図は、キャップがコネクター保持部から取り外された状態を示す拡大斜視図である。
【図２３】キャップがコネクター保持部に取り付けられた状態を示す拡大斜視図である。
【発明を実施するための形態】
【００４２】
以下に、本技術記憶装置を実施するための形態を添付図面に従って説明する。
【００４３】
記憶装置はコネクター保持部とコネクター保持部から反対方向へ突出された二つのコネクターを有し、二つのコネクターがそれぞれ扁平な形状に形成されている。以下の説明にあっては、コネクターが並ぶ方向を上下方向とし、コネクターの幅方向を左右方向とし、コネクターの厚み方向を前後方向とする。
【００４４】
尚、以下に示す上下前後左右の方向は説明の便宜上のものであり、本技術の実施に関しては、これらの方向に限定されることはない。
【００４５】
［記憶装置の構成］
記憶装置１は装置本体２とキャップ３と連結バンド４から成る（図１乃至図５参照）。記憶装置１は各種の電子機器１００、２００、・・・との間でデーターの授受を行う機能を有している（図１参照）。電子機器１００は、例えば、パーソナルコンピューターであり、電子機器１００には接続端子１０１が設けられている。電子機器２００は、例えば、携帯電話等の携帯端末であり、電子機器２００には接続端子２０１が設けられている。電子機器１００、２００の接続端子１０１、２０１は、例えば、ＵＳＢ（Universal Serial Bus）端子であり、接続端子２０１は接続端子１００より小型の所謂マイクロＵＳＢ端子と称される端子である。
【００４６】
装置本体２は樹脂材料によって形成されたコネクター保持部５とコネクター保持部５にそれぞれ保持された第１のコネクター６及び第２のコネクター７とから成る（図２乃至図４参照）。
【００４７】
電子機器１００の接続端子１０１には第１のコネクター６が接続され、電子機器２００の接続端子２０１には第２のコネクター７が接続される（図１参照）。第１のコネクター６と第２のコネクター７はそれぞれ装置本体２からの突出方向において接続端子１０１、２０１に挿入されて接続され、記憶装置１が逆方向へ引き抜かれることにより第１のコネクター６と第２のコネクター７の接続端子１０１、２０１に対する接続が解除される。
【００４８】
第１のコネクター６と第２のコネクター７がそれぞれ接続端子１０１、２０１に挿入される方向が挿入方向Ａ１、Ａ２とされ、第１のコネクター６と第２のコネクター７が接続端子１０１、２０１から引き抜かれる方向が引抜方向Ｂ１、Ｂ２とされる。
【００４９】
装置本体２のコネクター保持部５は基体部８と結合部９が一体に形成されて成る（図２乃至図４参照）。
【００５０】
基体部８は左右に延びる横長の形状に形成され、外面が上面８ａと下面８ｂと外周面８ｃによって形成されている。基体部８の外周面８ｃの各一部は水平方向において互いに反対方向を向く平面部８ｄ、８ｄとして形成されている。
【００５１】
基体部８の内部には図示しないメモリーが配置され、メモリーに各種のデーターが記憶される。基体部８の長手方向における一方の端部には上方に開口された挿入穴１０が形成されている。
【００５２】
基体部８の長手方向における他方の端部にはカバー１１が取り付けられている。基体部８の内部には図示しない発光ダイオード等の光源が配置され、例えば、第１のコネクター６が接続端子１０１に接続され又は第２のコネクター７が接続端子２０１に接続された状態において、電子機器１００、２００と記憶装置１の間でデーターの授受が行われるときに光源から光が出射され出射された光がカバー１１を介して外部に照射される。カバー１１を介して外部に光が照射されることにより、使用者において電子機器１００、２００と記憶装置１の間でデーターの授受が行われていることを確認することができる。
【００５３】
結合部９は基体部８の上面８ａから上方に突出され、横長の形状に形成されている。結合部９は外面が天面９ａと周面９ｂによって形成されている。
【００５４】
結合部９の周面部には１８０°反対側の位置にロック部１２、１２が形成されている。ロック部１２は外方に開口された溝状に形成され、ロック部１２を形成する上側の壁面が規制面１２ａとして形成されている。結合部９の周面９ｂにはそれぞれロック部１２、１２の周方向における一方の開口縁に、外方に突出された係合突起１３、１３が設けられている。
【００５５】
第１のコネクター６は基体部８の下面８ｂから下方に突出され、前後の厚みが薄い扁平な形状に形成されている。
【００５６】
第２のコネクター７は結合部９の天面９ａから上方に突出され、前後の厚みが薄い扁平な形状に形成されている。第２のコネクター７は第１のコネクター６より小さくされている。
【００５７】
キャップ３は上側に位置されたベース部１４とベース部１４の外周部から下方へ突出された周面部１５と周面部１５の下端部から内方に張り出された張出面部１６とを有している（図３乃至図６参照）。キャップ３の上端部には前後に貫通されたストラップ挿通孔３ａが形成されている。
【００５８】
キャップ３の左右方向における一端部の内面側には上下に延びるスライド穴３ｂが形成され、スライド穴３ｂは張出面部１６において下方に開口されている。キャップ３の内部にはスライド穴３ｂに連通され上下に延びる連通孔３ｃが形成されている。
【００５９】
キャップ３の外周面の各一部は水平方向において互いに反対方向を向く平面部３ｄ、３ｄとして形成されている。
【００６０】
張出面部１６の内周部には他の部分より内方へ突出された被ロック部１７、１７が周方向に離隔して設けられている。張出面部１６の内周部にはそれぞれ被ロック部１７、１７の周方向における近傍に内方へ突出された係止突起１８、１８が設けられている。張出面部１６の内周部には外方に切り欠かれた逃げ凹部１９、１９が周方向に離隔して形成されている。被ロック部１７、１７と逃げ凹部１９、１９は周方向において交互に位置されている。
【００６１】
連結バンド４はゴム等の弾性変形可能な材料によって形成され、図７に示すように、弾性変形されていない状態において直線状に延びる連結部４ａと連結部４ａの両端部からそれぞれ連結部４ａが延びる方向に対して直交する方向へ突出された第１の突状部４ｂ及び第２の突状部４ｃとが一体に形成されて成る。
【００６２】
連結バンド４は第１の突状部４ｂと連結部４ａにおける第１の突状部４ｂ側の部分とがキャップ３のスライド穴３ｂに挿入され、第１の突状部４ｂの先端部が連通孔３ｃから突出されてキャップ３に連結される（図３及び図８参照）。また、連結バンド４は第２の突状部４ｃと連結部４ａにおける第２の突状部４ｃ側の部分とがコネクター保持部５の基体部８に形成された挿入穴１０に挿入され、第２の突状部４ｃが基体部８の一部に係合可能な状態とされてコネクター保持部５に連結される。
【００６３】
キャップ３は連結バンド４に対して連結部４ａが延びる方向へスライド可能にされている（図５及び図６参照）。また、装置本体２は挿入穴１０において第２の突状部４ｃが変位可能な範囲で連結バンド４に対して連結部４ａが延びる方向へ変位可能にされている。
【００６４】
連結バンド４は、上記したように、ゴム等の弾性変形可能な材料によって形成されているため、キャップ３が装置本体２から取り外された状態において屈曲可能にされている（図８参照）。従って、キャップ３は装置本体２から取り外された状態において、連結バンド４を介してコネクター保持部５に連結された状態でコネクター保持部５から離隔した位置に保持される。
【００６５】
上記したように、記憶装置１にあっては、キャップ３とコネクター保持部５を連結する連結バンド４が設けられている。
【００６６】
従って、キャップ３がコネクター保持部５から取り外された状態においてもキャップ３が連結バンド４を介してコネクター保持部５に連結されているため、キャップ３の紛失を防止することができる。
【００６７】
［キャップの装置本体に対する着脱動作］
以下に、キャップ３の装置本体２に対する着脱動作について説明する（図９乃至図１５参照）。
【００６８】
先ず、キャップ３が装置本体２から取り外された状態について説明する（図９参照）。キャップ３が装置本体２から取り外された状態においては、キャップは連結バンド４を介して装置本体２のコネクター保持部５に連結された状態でコネクター保持部５から離隔した位置に保持されている。このときキャップ３は、例えば、連結バンド４に対してスライドされコネクター保持部５から最も離隔した位置に保持されている。
【００６９】
キャップ３が装置本体２から取り外された状態において、キャップ３を連結バンド４に対してコネクター保持部５に近付く方向へスライドさせると、キャップ３の下面がコネクター保持部５における基体部８の上面８ａに接し、キャップ３によって第２のコネクター７と結合部９が覆われる（図１０参照）。このときキャップ３の逃げ凹部１９、１９にそれぞれ結合部９の各一部が挿入される状態にされる（図１１参照）。従って、キャップ３は上下に延び挿入方向Ａ１、Ｂ１及び引抜方向Ａ２、Ｂ２に平行な軸である回転軸Ｓを支点として装置本体２に対して所定の角度変位した状態にされ、基体部８の平面部８ｄ、８ｄに対してそれぞれキャップ３の平面部３ｄ、３ｄが傾斜した状態にされる。
【００７０】
次に、キャップ３は装置本体２に対して回転軸Ｓの軸回り方向へ回転される（図１２参照）。キャップ３が装置本体２に対して回転されると、キャップ３の係止突起１８、１８がそれぞれ結合部９の係合突起１３、１３に係合されると共にキャップ３の被ロック部１７、１７の各一部がそれぞれ結合部９のロック部１２、１２に挿入される。
【００７１】
記憶装置１のキャップ３には平面部３ｄ、３ｄが形成されており、上記したキャップ３の装置本体２に対する回転時に、使用者は指を平面部３ｄ、３ｄに宛ってキャップ３を回転させることが可能である。従って、キャップ３のコネクター保持部５に対する回転操作を容易かつ確実に行うことができる。
【００７２】
キャップ３は装置本体２に対してさらに回転軸Ｓの軸回り方向へ回転される（図１３参照）。キャップ３が装置本体２に対してさらに回転されると、係止突起１８、１８がそれぞれ係合突起１３、１３を乗り越えた状態で係合突起１３、１３に係合されると共に被ロック部１７、１７の全体がそれぞれロック部１２、１２に挿入されて係合される。
【００７３】
係止突起１８、１８がそれぞれ係合突起１３、１３に係合されると共に被ロック部１７、１７の全体がそれぞれロック部１２、１２に挿入されて係合されることにより、キャップ３がコネクター保持部５に対してロックされる。キャップ３がコネクター保持部５に対してロックされた状態においては、基体部８の平面部８ｄ、８ｄとキャップ３の平面部３ｄ、３ｄとがそれぞれ同一平面上に位置され（図１４参照）、キャップ３の装置本体２に対する上方（引抜方向Ａ２）における移動がロック部１２、１２の規制面１２ａ、１２ａによって規制される（図１５参照）。
【００７４】
上記のように、キャップ３がコネクター保持部５に取り付けられてロックされることにより、キャップ３によって第２のコネクター７が覆われて保護される。
【００７５】
キャップ３がコネクター保持部５に取り付けられてロックされた状態においては、キャップ３の内部に連結バンド４が位置されている。
【００７６】
従って、キャップ３がコネクター保持部５に取り付けられた状態において連結バンド４がキャップ３及びコネクター保持部５から外方へ突出されず、キャップ３がコネクター保持部５に取り付けられた状態において記憶装置１を使用するときに連結バンド４が手に触れることがなく、記憶装置１を把持し易いと共に記憶装置１の小型化を図ることができる。
【００７７】
また、キャップ３がコネクター保持部５に取り付けられてロックされた状態においては、キャップ３の内部にロック部１２、１２が位置されている。
【００７８】
従って、キャップ３がコネクター保持部５に取り付けられた状態においてロック部１２、１２と被ロック部１７、１７がコネクター保持部５から外方へ突出されず、キャップ３がコネクター保持部５に取り付けられた状態において記憶装置１を使用するときにロック部１２、１２と被ロック部１７、１７が手に触れることがなく、記憶装置１を把持し易いと共に記憶装置１の小型化を図ることができる。
【００７９】
上記のようにキャップ３がコネクター保持部５に取り付けられてロックされた状態において、記憶装置１は第１のコネクター６が電子機器１００の接続端子１０１に挿入されて接続され、電子機器１００との間でデーターの授受が行われる。
【００８０】
記憶装置１にあっては、第１のコネクター６がコネクター保持部５から一方向へ突出され、ロック部１２、１２がコネクター保持部５における第１のコネクター６の突出された側と反対側の部分に設けられている。
【００８１】
従って、第１のコネクター６が接続端子１０１に接続された状態においてキャップ３をコネクター保持部５に取り付けることが可能にされており、電子機器１００に記憶装置１が装着されたときのキャップ３の紛失を防止することができる。
【００８２】
また、キャップ３が第２のコネクター７を覆う状態でコネクター保持部５に取り付けられてロックされているため、第１のコネクター６が接続端子１０１に接続された状態において第２のコネクター７がキャップ３に覆われ、電子機器１００に記憶装置１が装着されたときに電子機器１００の外側に位置される第２のコネクター７を保護することができる。
【００８３】
電子機器１００と記憶装置１の間でのデーターの授受が終了し電子機器１００から記憶装置１が引き抜かれるときには、キャップ３が指３００、３００によって把持される（図１６参照）。
【００８４】
記憶装置１のキャップ３には平面部３ｄ、３ｄが形成されており、使用者は指３００、３００を平面部３ｄ、３ｄに宛って記憶装置１を把持することが可能である。従って、キャップ３を容易かつ確実に把持して記憶装置１を電子機器１００から引き抜くことができる。
【００８５】
電子機器１００から記憶装置１が引き抜かれるときには、キャップ３がコネクター保持部５に対してロックされキャップ３の装置本体２に対する引抜方向Ａ２への移動が規制されているため、キャップ３が装置本体２から脱落されない。
【００８６】
一方、キャップ３の装置本体２に対するロックを解除してキャップ３をコネクター保持部５から取り外すことにより、第２のコネクター７を電子機器２００の接続端子２０１に接続することが可能になる。キャップ３の装置本体２に対するロックの解除は、キャップ３がコネクター保持部５に取り付けられるときの動作における回転方向と反対方向へキャップ３を回転することにより行うことができる。
【００８７】
キャップ３がコネクター保持部５に対してロックされた状態において、キャップ３が反対方向へ回転されると、キャップ３の係止突起１８、１８と結合部９の係合突起１３、１３との係合がそれぞれ解除されると共にキャップ３の被ロック部１７、１７が結合部９のロック部１２、１２から引き出される。この状態において、キャップ３を連結バンド４に対してコネクター保持部５から離隔する方向へスライドさせることにより、キャップ３による第２のコネクター７に対する保護状態が解除され、第２のコネクター７の接続端子２０１への接続が可能になる。
【００８８】
上記したように、記憶装置１にあっては、キャップ３がコネクター保持部５に対して挿入方向Ａ１、Ｂ１に平行な回転軸Ｓの軸回り方向へ回転されてキャップ３のコネクター保持部５に対するロック及びキャップ３のコネクター保持部５に対するロックの解除が行われる。
【００８９】
従って、キャップ３のコネクター保持部５に対する回転によりロック部１２、１２と被ロック部１７、１７の係合及び係合の解除が行われ、キャップ３のコネクター保持部５に対する着脱動作を容易に行うことができる。
【００９０】
また、記憶装置１にあっては、連結バンド４に対してキャップ３がスライド可能にされている。
【００９１】
従って、キャップ３とコネクター保持部５が連結バンド４に結合された状態でキャップ３を連結バンド４に対してスライドさせることによりキャップ３とコネクター保持部５を離接させることが可能であり、連結バンド４がキャップ３のコネクター保持部５に対する着脱時のガイドとして機能し、キャップ３のコネクター保持部５に対する着脱動作を容易かつ確実に行うことができる。
【００９２】
第２のコネクター７が接続端子２０１に接続された状態においては、キャップ３がコネクター保持部５から取り外されているが、キャップ３は連結バンド４によってコネクター保持部５に連結されている（図１７参照）。
【００９３】
従って、電子機器２００に記憶装置１が装着されたときのキャップ３の紛失を防止することができる。
【００９４】
また、連結バンド４が弾性変形可能にされているため、キャップ３がコネクター保持部５から取り外された状態において連結バンド４が屈曲可能であり、連結バンド４が第２のコネクター７の接続端子２０１への挿入に支障を来すことがなく、第２のコネクター７を接続端子２０１に円滑に挿入して接続することができる。
【００９５】
さらに、第２のコネクター７が接続端子２０１に接続された状態においては、電子機器２００の外面（側面）にコネクター保持部５における結合部９の天面９ａが対向又は接した状態にされており、電子機器２００の側面と基体部８の上面８ａとの間に一定の空間Ｐが形成されている。
【００９６】
従って、空間Ｐに連結バンド４における連結部４ａの配置スペースが確保され、連結バンド４が電子機器２００の側面とコネクター保持部５によって押し潰されることがなく、連結バンド４の損傷を防止することができると共に第２のコネクター７の接続端子２０１に対する安定した接続状態を確保することができる。
【００９７】
加えて、電子機器２００の側面と基体部８の上面８ａとの間に空間Ｐが形成されているため、電子機器２００から記憶装置１を引き抜こうとするときに、空間Ｐに指先を挿入して基体部８を把持することが可能であるため、電子機器２００からの記憶装置１の引抜操作を容易かつ確実に行うことができる。
【００９８】
［記憶装置の別の例］
以下に、記憶装置１の別の例である記憶装置１Ａについて説明する（図１８乃至図２１参照）。
【００９９】
尚、以下に示す記憶装置１Ａは、上記した記憶装置１と比較して、ロック部と被ロック部の位置及び構成が異なることのみが相違するため、記憶装置１と比較して異なる部分についてのみ詳細に説明をし、その他の部分については記憶装置１における同様の部分に付した符号と同じ符号を付して詳細な説明は省略する。
【０１００】
記憶装置１Ａは装置本体２Ａとキャップ３Ａと連結バンド４から成り、装置本体２Ａはコネクター保持部５Ａとコネクター保持部５Ａにそれぞれ保持された第１のコネクター６及び第２のコネクター７とから成る（図１８乃至図２０参照）。
【０１０１】
コネクター保持部５Ａは基体部８と結合部９Ａが一体に形成されて成る。コネクター保持部５Ａには結合部９Ａにロック部１２Ａ、１２Ａが形成されている。
【０１０２】
ロック部１２Ａ、１２Ａは、例えば、結合部９Ａの前後両端部に形成されている。ロック部１２Ａは外方及び上方に開口され、上端部の前後方向における幅がこれより下側の部分の前後方向における幅より小さくされている。ロック部１２Ａを形成する下方を向く上側の壁面は規制面１２ｂとして形成されている。
【０１０３】
結合部９Ａには係合突起が設けられていない。
【０１０４】
キャップ３Ａはベース部１４と周面部１５を有し、キャップ３Ａには張出面部が設けられていない。キャップ３Ａには、例えば、前後両端部に被ロック部１７Ａ、１７Ａが設けられている。
【０１０５】
被ロック部１７Ａ、１７Ａはそれぞれ上下方向に延びるアーム部２０、２０とアーム部２０、２０の下端部から互いに近付く方向へ突出されたロック用突部２１、２１とから成り、アーム部２０、２０の上下方向における中間部を支点としてそれぞれ周面部１５に回動自在に支持されている。ロック用突部２１は上方を向く被規制面２１ａと上端が被規制面２１ａの先端に連続され下方へ行くに従って前後方向において被規制面２１ａから離隔する傾斜面２１ｂとを有している。
【０１０６】
キャップ３の内面には、例えば、板バネである付勢バネ２２、２２が取り付けられ、付勢バネ２２、２２の下側の部分がそれぞれアーム部２０、２０の上端部における内面に押し当てられて被ロック部１７Ａ、１７Ａが付勢バネ２２、２２によって付勢されている。被ロック部１７Ａ、１７Ａは付勢バネ２２、２２によってロック用突部２１、２１が互いに近付く回動方向へ付勢されている。
【０１０７】
キャップ３Ａが装置本体２Ａから取り外された状態において、キャップ３Ａがコネクター保持部５Ａに対して下方へ移動されると、被ロック部１７Ａ、１７Ａにおけるロック用突部２１、２１の傾斜面２１ｂ、２１ｂがそれぞれ結合部９Ａの前後両側縁に摺動される（図２１参照）。ロック用突部２１、２１の傾斜面２１ｂ、２１ｂがそれぞれ結合部９Ａの前後両側縁に摺動されると、ロック部１２Ａ、１２Ａは付勢バネ２２、２２の付勢力に反してロック用突部２１、２１が互いに離隔する方向へ回動される。
【０１０８】
さらにキャップ３Ａがコネクター保持部５Ａに対して下方へ移動されると、ロック用突部２１、２１の被規制面２１ａ、２１ａがそれぞれ結合部９Ａの規制面１２ｂ、１２ｂに一致され、ロック部１２Ａ、１２Ａは付勢バネ２２、２２の付勢力によってロック用突部２１、２１が互いに近付く方向へ回動される（図２０参照）。ロック部１２Ａ、１２Ａが付勢バネ２２、２２の付勢力によって回動されると、ロック用突部２１、２１がそれぞれロック部１２Ａ、１２Ａに挿入されて被規制面２１ａ、２１ａがそれぞれ規制面１２ｂ、１２ｂに係止され、キャップ３Ａがコネクター保持部５Ａに対してロックされる。
【０１０９】
キャップ３Ａがコネクター保持部５Ａに対してロックされた状態においては、キャップ３Ａによって第２のコネクター７と結合部９Ａが覆われ、第２のコネクター７が保護される。また、キャップ３Ａがコネクター保持部５Ａに対してロックされた状態においては、キャップ３Ａの装置本体２Ａに対する上方（引抜方向Ａ２）における移動がロック部１２Ａ、１２Ａの規制面１２ｂ、１２ｂによって規制される。
【０１１０】
キャップ３Ａがコネクター保持部５Ａに対してロックされた状態において、アーム部２０、２０の上端部を指で互いに近付く方向へ押圧することにより被ロック部１７Ａ、１７Ａが付勢バネ２２、２２の付勢力に反して回動される。被ロック部１７Ａ、１７Ａが付勢バネ２２、２２の付勢力に反して回動されることによりロック用突部２１、２１がそれぞれロック部１２Ａ、１２Ａから取り出されてロック状態が解除され、この状態でキャップ３Ａがコネクター保持部５Ａに対して上方へ移動されることによりキャップ３Ａが装置本体２Ａから取り外される。
【０１１１】
上記したように、記憶装置１Ａにあっては、キャップ３Ａがコネクター保持部５Ａに対して挿入方向Ａ１又は引抜方向Ａ２へ移動されてキャップ３Ａのコネクター保持部５Ａに対するロック及びキャップ３Ａのコネクター保持部５Ａに対するロックの解除が行われる。
【０１１２】
従って、キャップ３Ａのコネクター保持部５Ａに対する移動によりロック部１２Ａ、１２Ａと被ロック部１７Ａ、１７Ａの係合及び係合の解除が行われ、キャップ３Ａのコネクター保持部５Ａに対する着脱動作を容易に行うことができる。
【０１１３】
尚、上記には、ロック部１２Ａ、１２Ａと被ロック部１７Ａ、１７Ａがそれぞれキャップ３Ａと結合部９Ａの前後両端部に設けられた例を示したが、ロック部１２Ａ、１２Ａと被ロック部１７Ａ、１７Ａはそれぞれキャップ３Ａと結合部９Ａの外周部であれば何れの部分に設けられていてもよく、例えば、キャップ３Ａと結合部９Ａの左右両端部にそれぞれ設けられていてもよい。
【０１１４】
また、上記には、被ロック部１７Ａ、１７Ａが回動可能な構成にされた例を示したが、逆に、ロック部１２Ａ、１２Ａが回動可能な構成にされてロックが行われるようにすることも可能である。
【０１１５】
［その他］
上記には、第１のコネクター６と第２のコネクター７が設けられた記憶装置１、１Ａを例として示したが、本技術記憶装置は第１のコネクター６と第２のコネクター７の二つのコネクターが設けられることに限られることがなく、本技術が適用される記憶装置は、図２２に示すように、第１のコネクター６のみが設けられた記憶装置１Ｂであってもよい。
【０１１６】
また、記憶装置１Ｂのように第１のコネクター６のみが設けられた例においては、キャップ３Ｂが第１のコネクター６を覆って保護する構成にすることも可能である（図２３参照）。この場合には、キャップ３Ｂによって第１のコネクター６が覆われたときに、図示はしないが、キャップ３Ｂが装置本体２Ｂのコネクター保持部５Ｂに着脱可能な構造が設けられることが必要である。
【０１１７】
尚、記憶装置１、１Ａ、１Ｂにあっては、電子機器１００の接続端子１０１に第１のコネクター６が接続された状態において、キャップ３、３Ａ、３Ｂの装置本体２、２Ａ、２Ｂからの引抜方向Ａ２への離脱が規制される構成にされていれば、ロック部と被ロック部の構造は任意の構造を用いることが可能である。
【０１１８】
また、本技術記憶装置は、コネクターの種類に拘わらず、一つ以上のコネクターが設けられた任意のタイプの記憶装置に適用することが可能である。
【０１１９】
［まとめ］
以上に記載した通り、記憶装置１、１Ａ、１Ｂにあっては、キャップ３、３Ａ、３Ｂにコネクター保持部５、５Ａ、５Ｂに対してロックされる被ロック部１７、１７、１７Ａ、１７Ａが設けられ、コネクター保持部５、５Ａ、５Ｂに被ロック部１７、１７、１７Ａ、１７Ａと係合されキャップ３、３Ａ、３Ｂの装置本体２、２Ａ、２Ｂからの引抜方向Ａ２への離脱を規制するロック部１２、１２、１２Ａ、１２Ａが設けられている。
【０１２０】
従って、電子機器１００の接続端子１０１に第１のコネクター６が接続された状態においてキャップ３、３Ａ、３Ｂがコネクター保持部５、５Ａ、５Ｂに取付られると共に接続端子１０１からの第１のコネクター６の引抜操作が行われたときにキャップ３、３Ａ、３Ｂの装置本体２、２Ａ、２Ｂからの引抜方向Ａ２への離脱がロック部１２、１２、１２Ａ、１２Ａによって規制される。
【０１２１】
これにより、キャップ３、３Ａ、３Ｂの紛失を防止することができると共に接続端子１０１から第１のコネクター６を引き抜く操作を行うときのキャップ３、３Ａ、３Ｂの装置本体２、２Ａ、２Ｂからの外れを防止することができる。
【０１２２】
また、記憶装置１、１Ａにはコネクターとして種類の異なる第１のコネクター６と第２のコネクター７が設けられているため、第１のコネクター６と第２のコネクター７をそれぞれ異なる種類の電子機器１００、２００の接続端子１０１、２０１に接続することが可能であり、記憶装置１、１Ａを用いて異なる種類の電子機器１００、２００間でのデーターの授受を行うことができる。
【０１２３】
さらに、第１のコネクター６と第２のコネクター７がコネクター保持部５から反対方向へ突出された状態で位置されているため、記憶装置１、１Ａの向きを反転することにより第１のコネクター６と第２のコネクター７をそれぞれ異なる種類の電子機器１００、２００の接続端子１０１、２０１に接続することが可能であり、記憶装置１、１Ａの使い勝手の向上を図ることができる。
【０１２４】
［本技術］
本技術は、以下のような構成にすることもできる。
【０１２５】
（１）
電子機器に設けられた接続端子に挿入されて接続され前記接続端子から引き抜かれて接続が解除される少なくとも一つのコネクターと前記コネクターを保持するコネクター保持部とを有する装置本体と、
前記コネクター保持部に着脱されるキャップとを備え、
前記コネクターが前記接続端子に挿入される方向が挿入方向とされ、
前記コネクターが前記接続端子から引き抜かれる方向が引抜方向とされ、
前記キャップに前記コネクター保持部に対してロックされる被ロック部が設けられ、
前記コネクター保持部に前記被ロック部と係合され前記キャップの前記コネクター保持部からの前記引抜方向への離脱を規制するロック部が設けられた
記憶装置。
【０１２６】
（２）
前記キャップが前記コネクター保持部に対して前記挿入方向に平行な軸の軸回り方向へ回転されて前記キャップの前記コネクター保持部に対するロック及び前記キャップの前記コネクター保持部に対するロックの解除が行われる
前記（１）に記載の記憶装置。
【０１２７】
（３）
前記キャップの外面に平面部が形成された
前記（１）又は前記（２）に記載の記憶装置。
【０１２８】
（４）
前記キャップが前記コネクター保持部に対して前記挿入方向又は前記引抜方向へ移動されて前記キャップの前記コネクター保持部に対するロック及び前記キャップの前記コネクター保持部に対するロックの解除が行われる
前記（１）又は前記（３）に記載の記憶装置。
【０１２９】
（５）
前記コネクターが前記コネクター保持部から一方向へ突出され、
前記ロック部が前記コネクターの突出された側と反対側の部分に設けられた
前記（１）から前記（４）の何れかに記載の記憶装置。
【０１３０】
（６）
前記コネクターとして種類の異なる第１のコネクターと第２のコネクターが設けられた
前記（１）から前記（５）の何れかに記載の記憶装置。
【０１３１】
（７）
前記第１のコネクターと前記第２のコネクターが前記コネクター保持部から反対方向へ突出された状態で位置された
前記（６）に記載の記憶装置。
【０１３２】
（８）
前記キャップが前記第２のコネクターを覆う状態で前記コネクター保持部に取り付けられてロックされる
前記（７）に記載の記憶装置。
【０１３３】
（９）
前記キャップと前記コネクター保持部を連結する連結バンドが設けられた
前記（１）から前記（８）の何れかに記載の記憶装置。
【０１３４】
（１０）
前記連結バンドが弾性変形可能にされた
前記（９）に記載の記憶装置。
【０１３５】
（１１）
前記連結バンドに対して前記キャップがスライド可能にされた
前記（９）又は前記（１０）に記載の記憶装置。
【０１３６】
（１２）
前記キャップが前記コネクター保持部に取り付けられた状態において前記連結バンドが前記キャップの内部に位置された
前記（９）から前記（１１）の何れかに記載の記憶装置。
【０１３７】
（１３）
前記被ロック部が前記キャップの内面側に設けられ、
前記キャップが前記コネクター保持部に取り付けられた状態において前記ロック部が前記キャップの内部に位置された
前記（１）から前記（１２）の何れかに記載の記憶装置。
【符号の説明】
【０１３８】
１…記憶装置、２…装置本体、３…キャップ、３ｄ…平面部、４…連結バンド、５…コネクター保持部、８…基体部、１２…ロック部、１７…被ロック部、１Ａ…記憶装置、２Ａ…装置本体、３Ａ…キャップ、５Ａ…コネクター保持部、１２Ａ…ロック部、１７Ａ…被ロック部、１Ｂ…記憶装置、２Ｂ…装置本体、３Ｂ…キャップ、５Ｂ…コネクター保持部、１００…電子機器、１０１…接続端子、２００…電子機器、３０１…接続端子
【図１】
2015111367.tif 000003
【図２】
2015111367.tif 000004
【図３】
2015111367.tif 000005
【図４】
2015111367.tif 000006
【図５】
2015111367.tif 000007
【図６】
2015111367.tif 000008
【図７】
2015111367.tif 000009
【図８】
2015111367.tif 000010
【図９】
2015111367.tif 000011
【図１０】
2015111367.tif 000012
【図１１】
2015111367.tif 000013
【図１２】
2015111367.tif 000014
【図１３】
2015111367.tif 000015
【図１４】
2015111367.tif 000016
【図１５】
2015111367.tif 000017
【図１６】
2015111367.tif 000018
【図１７】
2015111367.tif 000019
【図１８】
2015111367.tif 000020
【図１９】
2015111367.tif 000021
【図２０】
2015111367.tif 000022
【図２１】
2015111367.tif 000023
【図２２】
2015111367.tif 000024
【図２３】
2015111367.tif 000025